(57)【要約】【課題】  大皿等に密着している食物を容易に取ることのできるトングを提供すること。【解決手段】  Ｕ字状に形成された把手部１０１の先端に形成された一対の挟み持ち部１０２に、直線状の直線部１０３をそれぞれ相対向する位置に形成することで、この直線部１０３を大皿等に密着させて、この大皿等に密着した食物等を取ることができるようにした。【選択図】    図１
0003110036.tif 000002
【実用新案登録請求の範囲】
【請求項１】
一対の先端の間に所定の間隔が空くように形成された把手部と、
一対の前記先端のそれぞれに形成された一対の挟み持ち部と、を備え、
前記間隔を閉じて、一対の前記挟み持ち部の間に物を挟み込むことができるようにしたトングであって、
一対の前記挟み持ち部は、それぞれ前記間隔を閉じる方向に直交する面を有する平板状に形成されており、
一対の前記挟み持ち部の周縁の少なくとも一部には、直線状の直線部がそれぞれ少なくとも一つ形成されていることを特徴とするトング。
【請求項２】
前記直線部と前記把手部の延びる方向との間の角度は、鋭角であることを特徴とする請求項１に記載のトング。
【請求項３】
前記直線部と前記把手部の延びる方向との間の角度は、６０度であることを特徴とする請求項２に記載のトング。
【請求項４】
前記直線部以外の前記周縁であって、前記直線部と前記把手部の延びる方向との間の角度が鈍角となる側の前記周縁は、前記直線部の一端から外側に凸となるように形成されていることを特徴とする請求項２又は３に記載のトング。
【考案の詳細な説明】
【技術分野】
【０００１】
本考案は、トングに関する。
【背景技術】
【０００２】
従来から、大皿等に盛られた料理を取り分けるために、トングという挟み具が使用されている。
【０００３】
特開２００２−１７５４４号公報に表されているように、従来のトング５００（図５参照）は、弾性部材により形成されたＵ字状の把手部５０１の先端に一対の挟み部５０２を形成し、この一対の挟み部５０２の間に物を挟み込むことができるようにしていた。
【考案の開示】
【考案が解決しようとする課題】
【０００４】
しかしながら、従来のトング５００においては、挟み部５０２の周縁５０２ａが円形状に形成されていたため、大皿等に密着している野菜やパスタ等の食物を取ることが困難であった。
【０００５】
そこで、本考案は、大皿等に密着している食物を容易に取ることのできるトングを提供することを目的とする。
【課題を解決するための手段】
【０００６】
以上の課題を解決するため、本発明は、一対の先端の間に所定の間隔が空くように形成された把手部と、一対の前記先端のそれぞれに形成された一対の挟み持ち部と、を備え、
前記間隔を閉じて、一対の前記挟み持ち部の間に物を挟み込むことができるようにしたトングであって、一対の前記挟み持ち部は、それぞれ前記間隔を閉じる方向に直交する面を有する平板状に形成されており、一対の前記挟み持ち部の周縁の少なくとも一部には、直線状の直線部がそれぞれ少なくとも一つ形成されていることを特徴とするトングを提供する。
【０００７】
このように、挟み持ち部の一部に直線上の直線部を形成しておくことで、この直線部を大皿に沿って動かすことができるため、この大皿等に密着している食物等を容易に挟むことができるようになる。
【０００８】
また、トングを用いて食物を大皿等から取り分ける場合には、通常、大皿等の斜め上方からトングを差し出すため、挟み持ち部に形成された直線部と把手部の延びる方向との間の角度を鋭角となるようにすることで、大皿等の斜め上方からトングを差し出して野菜等を容易に挟むことができるようになる。
【０００９】
なお、本願考案者が鋭意研究を重ねた結果、この直線部と把手部の延びる方向との間の角度は、６０度とすることが最も使いやすいことがわかった。
【００１０】
さらに、挟み持ち部の直線部以外の周縁であって、直線部と把手部の延びる方向との間の角度が鈍角となる側の周縁は、直線部の一端から外側に凸となるように形成することで、この凸となるように形成されている部分を用いて、例えば、サラダボールの側壁や大皿の段差の部分に密着している食物を容易に挟むことができるようになる。
【考案の効果】
【００１１】
以上のように、本発明によれば、挟み持ち部の周縁に形成されている直線部が大皿等に密着するため、この大皿等に密着している食物を容易に挟むことができるようになる。
【００１２】
また、この直線部と把手部との間の角度を鋭角となるようにすることで、大皿等の斜め上方から食物を挟む際に、直線部を大皿等の底に密着させやすくなる。
【００１３】
さらに、直線部以外の周縁であって、直線部と把手部との間に挟まれていない部分は、把手部から直線部に向かって、徐々に傾斜角が大きくなるように形成することで、側壁や段差に密着している食物を容易に挟むことができるようになる。
【考案を実施するための最良の形態】
【００１４】
図１は、本考案の第一の実施形態に係るトング１００の斜視図である。
【００１５】
本実施形態に係るトング１００は、把手部１０１と、挟み持ち部１０２と、により構成されている。
【００１６】
本実施形態における把手部１０１は、帯状のステンレス材を長さ方向の中央部で折り返すことによりＵ字状に形成されており、Ｕ字状に形成された把手部１０１の先端には、所定の間隔が空くようにされている。
【００１７】
ここで、本実施形態で使用したステンレス材は、適度な弾性を有するものを用いているため、トング１００の使用者が、Ｕ字状に形成された把手部１０１の先端の間隔を閉じる方向に押圧することにより、この先端の間隔を閉じることができるようにしている。
【００１８】
一方、把手部１０１の先端の間隔を閉じる方向への押圧を解放することで、把手部１０１の弾性力により、再び把手部１０１の先端の間隔が空くようになる。
【００１９】
なお、この先端の間隔の大きさについては、トング１００により挟む物の大きさ・形状を考慮して適宜選択することができる設計事項である。
【００２０】
使用するステンレスの弾性についても、トング１００を使用する者の握力を考慮して適宜選択すればよい。
【００２１】
Ｕ字状に形成された把手部１０１の先端のそれぞれには、挟み持ち部１０２が形成されている。
【００２２】
挟み持ち部１０２は、それぞれ把手部１０１の先端を閉じる方向に直交する面を有する平板状に形成されているため、この直交する面に野菜などの物を挟み込むことができるようにされている。
【００２３】
なお、挟み持ち部１０２の大きさ・形状については、一対の挟み持ち部１０２の間に挟み込む物の大きさ・形状を考慮して適宜選択することができる設計事項である。
【００２４】
平板状に形成されている挟み持ち部１０２の周縁には、直線状に形成されている直線部１０３が形成されている。
【００２５】
直線部１０３は、把手部１０１の延びる方向との間の角度が９０度となるように形成されている。
【００２６】
ここで、直線部１０３の長さＮについては、大皿等に密着した物を挟み込むことができる範囲で適宜選択することができる設計事項である。
【００２７】
以上のように、本実施形態に係るトング１００によれば、挟み持ち部１０２に形成されている直線部１０３を大皿等に密着させることができるため、この直線部１０３を用いて大皿等に密着している物を容易に取ることができる。
【００２８】
また、本実施形態においては、直線部１０３は、把手部１０１の延びる方向に対して垂直方向に延びるように形成されているため、大皿等に対して真上からトング１００を差し出すことにより、直線部１０３を大皿等に密着させることができるようにしている。
【００２９】
なお、本実施形態においては、ステンレス材で把手部１０１を形成しているが、これに限定されるわけではなく、例えば、樹脂等、他の素材により形成することも可能である。
【００３０】
また、本実施形態では、把手部１０１全体を弾性部材により形成しているが、把手部１０１の一部、例えば、Ｕ字状に折り返されている部分のみを弾性部材により形成することも可能である。
【００３１】
さらに、把手部１０１の間にバネを挟み込むことにより、把手部１０１の先端に所定の間隔が空くようにすることも可能である。
【００３２】
加えて、本実施形態においては、直線部１０３を、把手部１０１の延びる方向との間の角度が９０度となるように形成しているが、この直線部１０３と把手部１０１との間の角度についても、大皿等に盛られた物が取りやすくなる範囲で適宜変更することができる。
【００３３】
図２は、本考案の第二の実施形態に係るトング２００の斜視図である。
【００３４】
本実施形態に係るトング２００は、把手部２０１と、挟み持ち部２０２と、により構成されている。
【００３５】
本実施形態における把手部２０１は、第一の実施形態とは異なり、二つの帯状の竹材の一端２０１ａを連結することによりＵ字状に形成されている。
【００３６】
そして、Ｕ字状に形成された把手部２０１の先端には、第一の実施形態と同様に、所定の間隔が空くようにされている。
【００３７】
ここで、本実施形態で使用した竹材は、第一の実施形態と同様に、適度な弾性を有するものを適宜選択して使用している。
【００３８】
また、この先端の間隔の大きさについても、第一の実施形態と同様にトング２００により挟む物の大きさ・形状を考慮して適宜選択することができる設計事項である。
【００３９】
さらに、使用する竹の弾性についても、トング２００を使用する者の握力を考慮して適宜選択すればよい。
【００４０】
Ｕ字状に形成された把手部２０１の先端のそれぞれには、挟み持ち部２０２が形成されている。
【００４１】
挟み持ち部２０２は、第一の実施形態と同様に、それぞれ把手部２０１の先端を閉じる方向に対して面する平板状に形成されている。
【００４２】
なお、挟み持ち部２０２の大きさ・形状についても、第一の実施形態と同様に、一対の挟み持ち部２０２の間に挟み込む物の大きさ・形状を考慮して適宜選択することができる設計事項である。
【００４３】
平板状に形成されている挟み持ち部２０２の周縁には、直線状に形成されている直線部２０３が形成されている。
【００４４】
直線部２０３は、第一の実施形態と同様に、一対の挟み持ち部２０２の相対向する位置にそれぞれ形成されており、その長さについても、第一の実施形態と同様に、大皿等に密着した物を挟み込むことができる範囲で適宜選択することができる設計事項である。
【００４５】
ここで、本実施形態においては、図３（トング２００の側面図）に表されているように、本実施形態においては、直線部２０３と把手部２０１の延びる方向Xとの間の角度αが、６０度となるように形成されている。
【００４６】
従って、本実施形態に係るトング２００においては、大皿等に対して斜め上方の６０度の角度からトング２００を差し出すことにより、直線部２０３を大皿等に密着させることができるようにしている。
【００４７】
また、本実施形態においては、挟み持ち部２０２の直線部２０３以外の周縁であって、直線部２０３と把手部２０１の延びる方向Ｘとの間の角度が鈍角となる側の周縁２０２ａは、直線部２０３の一端２０３ａから外側に凸となるように形成されている。
【００４８】
このように直線部２０３の一端２０３ａから外側に凸となるように周縁２０２ａを形成することで、この外側に凸となる周縁２０２ａをサラダボールの側壁や大皿の段差等に差し入れて物を挟み込むことができるようになる。
【００４９】
このように、本実施形態では、大皿等に密着させる直線部２０３が、把手部２０１に対して傾斜しているため、斜め上方からこの直線部２０３を大皿等に密着させることができる。
【００５０】
なお、本実施形態においては、竹材で把手部２０１を形成しているが、これに限定されるわけではなく、例えば、樹脂等、他の素材により形成することも可能である。
【００５１】
また、本実施形態でも、把手部２０１全体を弾性部材により形成しているが、把手部２０１の一部、例えば、Ｕ字状となるように取り付けられている部分のみを弾性部材により形成することも可能である。
【００５２】
さらに、本実施形態においては、直線部２０３を、一つ形成しているが、この数については任意の数を適宜選択することができる。
【００５３】
なお、本実施形態においては、直線部２０３と把手部２０１の延びる方向Xとの間の角度αが、６０度となるように形成しているが、この角度については、任意の角度を採用することが可能であり、本考案の考案者が鋭意研究したところによれば、５５度〜６５度の間の角度、特に、６０度が好適であった。
【００５４】
図４は、本考案の第三の実施形態に係るトング３００の側面図である。
【００５５】
本実施形態に係るトング３００は、把手部２０１と、挟み持ち部３０２と、により構成されており、第二の実施形態に係るトング２００と比べて、挟み持ち部３０２のみが異なっているため、以下、挟み持ち部３０２に関する事項についてのみ説明する。
【００５６】
本実施形態における挟み持ち部３０２も、第二の実施形態と同様に、それぞれ把手部２０１の先端を閉じる方向において面する平板状に形成されているが、本実施形態においては、挟み持ち部３０２の周縁に、直線状に形成されている第一の直線部３０３Ａと第二の直線部３０３Ｂとが形成されている。
【００５７】
第一の直線部３０３Ａ及び第二の直線部３０３Ｂは、第二の実施形態と同様に、一対の挟み持ち部３０２の相対向する位置にそれぞれ形成されており、その長さについても、第二の実施形態と同様に、大皿等に密着した物を挟み込むことができる範囲で適宜選択することができる設計事項である。
【００５８】
ここで、本実施形態においては、第一の直線部３０３Ａは、把手部２０１の延長線と交差するように形成されており、第二の直線部３０３Ｂは、第一の直線部３０３Ａと連続し、かつ、第一の直線部３０３Ａと把手部２０１との間に形成されている。
【００５９】
そして、本実施形態においては、図４に表されているように、第一の直線部３０３Ａと把手部２０１の延びる方向Ｙとの間の角度βが６０度となるように形成し、また、第二の直線部３０３Ｂと把手部２０１の延びる方向Ｙとの間の角度γが３０度となるように形成している。
【００６０】
従って、本実施形態に係るトング３００においては、大皿等に対して斜め上方の６０度の角度と３０度の角度からトング３００を差し出すことにより、第一の直線部３０３Ａ又は第二の直線部３０３Ｂを大皿等に密着させることができるようにしている。
【００６１】
このように、本実施形態では、挟み持ち部３０３に第一の直線部３０３Ａと第二の直線部３０３Ｂとを設けているため、トング３００を差し出す角度によって、第一の直線部３０３Ａ又は第二の直線部３０３Ｂを選択して大皿等に密着させることができる。
【００６２】
なお、本実施形態においては、直線部３０３Ａ、３０３Ｂを、一つの挟み持ち部３０２にそれぞれ二つずつ形成しているが、この数については任意の数を適宜選択することができる。
【００６３】
また、把手部２０１の延びる方向と第一の直線部３０３Ａとの間の角度、および、把手部２０１の延びる方向と第二の直線部３０３Ｂとの間の角度、についても、大皿等に盛られた物を取りやすくするため適宜変更することが可能である。
【００６４】
なお、本実施形態においては、第一の直線部３０３Ａと把手部２０１の延びる方向Ｙとの間の角度βが６０度となるように形成し、また、第二の直線部３０３Ｂと把手部２０１の延びる方向Ｙとの間の角度γが３０度となるように形成しているが、これらの角度については、任意の角度を採用することが可能である。
【図面の簡単な説明】
【００６５】
【図１】第一の実施形態に係るトング１００の斜視図。
【図２】第二の実施形態に係るトング２００の斜視図。
【図３】トング２００の側面図。
【図４】第三の実施形態に係るトング３００の側面図。
【図５】従来のトング５００の斜視図。
【符号の説明】
【００６６】
１００、２００、３００  トング
１０１、２０１  把手部
１０２、２０２、３０２  挟み持ち部
１０３、２０３、３０３  直線部
【図１】
0003110036.tif 000003
【図２】
0003110036.tif 000004
【図３】
0003110036.tif 000005
【図４】
0003110036.tif 000006
【図５】
0003110036.tif 000007